(57)【特許請求の範囲】
【請求項１】
エンハンスド制御チャネルｅＣＣＨと周波数において多重されたネットワークノード（１１０）からの下りリンクのデータ伝送を受信する際にユーザ端末（１２１）によって使用される伝送ブロックサイズを決定するための、前記ユーザ端末（１２１）における方法であって、
前記ユーザ端末（１２１）及び前記ネットワークノード（１１０）は電気通信システム（１００）に含まれ、
前記ユーザ端末（１２１）は、様々な数の割り当てられる無線リソースブロックＰＲＢのための所定の伝送ブロックサイズのテーブルにアクセスでき、
前記方法は、
前記下りリンクのデータ伝送に割り当てられたＰＲＢの総数Ｎ'PRBに基づいて、及び、正のＰＲＢオフセット値ＯPRB又は１より大きいＰＲＢ調整係数ＡPRBに基づいて、インジケータＮPRBを計算し（１７０３）、
計算された前記インジケータＮPRBに少なくとも基づいて、所定の伝送ブロックサイズの前記テーブルから、前記伝送ブロックサイズを決定する（１７０４）、
ことを含むことを特徴とする方法。
【請求項２】
決定された前記伝送ブロックサイズを用いて、下りリンクのデータ伝送を受信する（１７０５）、
ことをさらに含むことを特徴とする請求項１に記載の方法。
【請求項３】
条件が存在するか否かを判定する（１７０１）ことをさらに含み、
前記条件の存在は、前記インジケータＮPRBの前記計算（１７０３）にトリガを与える、
ことを特徴とする請求項１又は２に記載の方法。
【請求項４】
前記条件は、前記ｅＣＣＨにおいて通信と通信要求との少なくともいずれかを受信することである、
ことを特徴とする請求項３に記載の方法。
【請求項５】
前記ｅＣＣＨは、ユーザ端末固有の検索領域に配置される、
ことを特徴とする請求項４に記載の方法。
【請求項６】
前記条件は、前記伝送ブロックサイズを計算するための、前記ネットワークノード（１１０）からの通信の要求を受信することである、
ことを特徴とする請求項３から５のいずれか１項に記載の方法。
【請求項７】
前記通信の要求は、正の前記ＰＲＢオフセット値ＯPRB又は１より大きい前記ＰＲＢ調整係数ＡPRBを含む、
ことを特徴とする請求項６に記載の方法。
【請求項８】
前記計算（１７０３）は、さらに、
前記インジケータＮPRBの計算（１７０３）で使用される正の前記ＰＲＢオフセット値ＯPRB又は１より大きい前記ＰＲＢ調整係数ＡPRBを検索することを含む、
ことを特徴とする請求項１から７のいずれか１項に記載の方法。
【請求項９】
前記ユーザ端末（１２１）が前記ネットワークノード（１１０）からの前記ｅＣＣＨにおける下りリンクのデータ伝送を受信し始める前に、正の前記ＰＲＢオフセット値ＯPRB又は１より大きい前記ＰＲＢ調整係数ＡPRBを受信する（１７０２）こと、
又は、
物理下りリンク制御チャネルＰＤＣＣＨにおいてスケジューリングされた、前記ネットワークノード（１１０）からの下りリンク伝送に含まれるＲＲＣメッセージにおいて、正の前記ＰＲＢオフセット値ＯPRB又は１より大きい前記ＰＲＢ調整係数ＡPRBを受信する（１７０２）こと、
を含むことを特徴とする請求項１から８のいずれか１項に記載の方法。
【請求項１０】
前記計算（１７０３）は、さらに、前記インジケータＮPRBを、
ＮPRB＝min{ max{Ｎ'PRB＋ＯPRB，1}，110}
に従って計算することを含む、
ことを特徴とする請求項１から９のいずれか１項に記載の方法。
【請求項１１】
前記計算（１７０３）は、さらに、前記インジケータＮPRBを、
ＮPRB＝min{ max{[Ｎ'PRB×0.75]＋ＯPRB，1}，110}
に従って計算することを含む、
ことを特徴とする請求項１から９のいずれか１項に記載の方法。
【請求項１２】
前記計算（１７０３）は、さらに、前記インジケータＮPRBを、
ＮPRB＝min{ max{[Ｎ'PRB×ＡPRB]，1}，110}
に従って計算することを含む、
ことを特徴とする請求項１から９のいずれか１項に記載の方法。
【請求項１３】
前記計算（１７０３）は、さらに、前記インジケータＮPRBを、
ＮPRB＝min{ max{[Ｎ'PRB×0.75×ＡPRB]，1}，110}
に従って計算することを含む、
ことを特徴とする請求項１から９のいずれか１項に記載の方法。
【請求項１４】
前記ユーザ端末（１２１）は、１つより多くの正のＰＲＢオフセット値ＯPRB又は１より大きいＰＲＢ調整係数ＡPRBを有し、
前記方法は、さらに、異なるサブフレームにおける当該サブフレームのサブフレーム番号に基づいて、当該異なるサブフレームにおいて、異なる正のＰＲＢオフセット値ＯPRB又は１より大きいＰＲＢ調整係数ＡPRBを適用することを含む、
ことを特徴とする請求項１から１３のいずれか１項に記載の方法。
【請求項１５】
前記ユーザ端末（１２１）は、１つより多くの正のＰＲＢオフセット値ＯPRB又は１より大きいＰＲＢ調整係数ＡPRBを有し、
前記方法は、さらに、追加の信号の存在に基づいて、異なるサブフレームにおいて、異なる正のＰＲＢオフセット値ＯPRB又は１より大きいＰＲＢ調整係数ＡPRBを適用することを含む、
ことを特徴とする請求項１から１３のいずれか１項に記載の方法。
【請求項１６】
前記計算（１７０３）は、Ｎ'PRBが物理リソースブロック閾値ＴPRBより大きい場合に実行される、
ことを特徴とする請求項１から１５のいずれか１項に記載の方法。
【請求項１７】
前記ネットワークノード（１１０）からの通信の要求において受信される正のＰＲＢオフセット値ＯPRB又は１より大きいＰＲＢ調整係数ＡPRBには、前記ユーザ端末（１２１）によって検索された正のＰＲＢオフセット値ＯPRB又は１より大きいＰＲＢ調整係数ＡPRBより高い優先度が与えられる、
ことを特徴とする請求項２から１６のいずれか１項に記載の方法。
【請求項１８】
エンハンスド制御チャネルｅＣＣＨと周波数において多重されたネットワークノード（１１０）からの下りリンクのデータ伝送を受信する際にユーザ端末（１２１）によって使用される、伝送ブロックサイズを決定するための前記ユーザ端末（１２１）であって、
前記ユーザ端末（１２１）及び前記ネットワークノード（１１０）は電気通信システム（１００）に含まれ、
前記ユーザ端末（１２１）は、様々な数の割り当てられる無線リソースブロックＰＲＢのための所定の伝送ブロックサイズのテーブルにアクセスでき、
前記ユーザ端末（１２１）は、前記下りリンクのデータ伝送に割り当てられたＰＲＢの総数Ｎ'PRBに基づいて、及び、正のＰＲＢオフセット値ＯPRB又は１より大きいＰＲＢ調整係数ＡPRBに基づいて、インジケータＮPRBを計算し、計算された前記インジケータＮPRBに少なくとも基づいて、所定の伝送ブロックサイズの前記テーブルから、前記伝送ブロックサイズを決定するように構成された処理回路（２００２）を有する、
ことを特徴とするユーザ端末。
【請求項１９】
前記ユーザ端末（１２１）は、請求項１から１７のいずれか１項に記載の方法を実行するように適合される、ことを特徴とする請求項１８に記載のユーザ端末。
【請求項２０】
エンハンスド制御チャネルｅＣＣＨと周波数において多重されたユーザ端末（１２１）への下りリンクのデータ伝送を送信する際にネットワークノード（１１０）によって使用される伝送ブロックサイズを決定するための、前記ネットワークノード（１１０）における方法であって、
前記ネットワークノード（１１０）及び前記ユーザ端末（１２１）は電気通信システム（１００）に含まれ、
前記ネットワークノード（１１０）は様々な数の割り当てられる無線リソースブロックＰＲＢのための所定の伝送ブロックサイズのテーブルにアクセスでき、
前記方法は、
前記下りリンクのデータ伝送に割り当てられたＰＲＢの総数Ｎ'PRBに基づいて、及び正のＰＲＢオフセット値ＯPRB又は１より大きいＰＲＢ調整係数ＡPRBに基づいて、インジケータＮPRBを計算し（１８０２）、
計算された前記インジケータＮPRBに少なくとも基づいて、所定の伝送ブロックサイズの前記テーブルから、前記伝送ブロックサイズを決定する（１８０３）
ことを含むことを特徴とする方法。
【請求項２１】
決定された前記伝送ブロックサイズを用いて、下りリンクのデータ伝送を前記ユーザ端末（１２１）へ送信する（１８０４）、
ことをさらに含むことを特徴とする請求項２０に記載の方法。
【請求項２２】
正の前記ＰＲＢオフセット値ＯPRB又は１より大きい前記ＰＲＢ調整係数ＡPRBを含む通信の要求を、前記ユーザ端末（１２１）へ送信する（１８０１）
ことをさらに含むことを特徴とする請求項２０又は２１に記載の方法。
【請求項２３】
前記計算（１８０２）は、さらに、前記インジケータＮPRBを、
ＮPRB＝min{ max{Ｎ'PRB＋ＯPRB，1}，110}
に従って計算することを含む、
ことを特徴とする請求項２０から２２のいずれか１項に記載の方法。
【請求項２４】
前記計算（１８０２）は、さらに、前記インジケータＮPRBを、
ＮPRB＝min{ max{[Ｎ'PRB×0.75]＋ＯPRB，1}，110}
に従って計算することを含む、
ことを特徴とする請求項２０から２２のいずれか１項に記載の方法。
【請求項２５】
前記計算（１８０２）は、さらに、前記インジケータＮPRBを、
ＮPRB＝min{ max{[Ｎ'PRB×ＡPRB]，1}，110}
に従って計算することを含む、
ことを特徴とする請求項２０から２２のいずれか１項に記載の方法。
【請求項２６】
前記計算（１８０２）は、さらに、前記インジケータＮPRBを、
ＮPRB＝min{ max{[Ｎ'PRB×0.75×ＡPRB]，1}，110}
に従って計算することを含む、
ことを特徴とする請求項２０から２２のいずれか１項に記載の方法。
【請求項２７】
前記計算（１８０２）は、Ｎ'PRBが物理リソースブロック閾値ＴPRBより大きい場合に実行される、
ことを特徴とする請求項２０から２６のいずれか１項に記載の方法。
【請求項２８】
エンハンスド制御チャネルｅＣＣＨと周波数において多重されたユーザ端末（１２１）への下りリンクのデータ伝送を送信する際にネットワークノード（１１０）によって使用される伝送ブロックサイズを決定するための、前記ネットワークノード（１１０）であって、
前記ネットワークノード（１１０）及び前記ユーザ端末（１２１）は電気通信システム（１００）に含まれ、
前記ネットワークノード（１１０）は様々な数の割り当てられる無線リソースブロックＰＲＢのための所定の伝送ブロックサイズのテーブルにアクセスでき、
前記ネットワークノード（１１０）は、前記下りリンクのデータ伝送に割り当てられたＰＲＢの総数Ｎ'PRBに基づいて、及び正のＰＲＢオフセット値ＯPRB又は１より大きいＰＲＢ調整係数ＡPRBに基づいて、インジケータＮPRBを計算し、計算された前記インジケータＮPRBに少なくとも基づいて、所定の伝送ブロックサイズの前記テーブルから、前記伝送ブロックサイズを決定するように構成された処理回路（１９０３）を有する、
ことを特徴とするネットワークノード。
【請求項２９】
前記ネットワークノード（１１０）は、請求項２０から２７のいずれか１項に記載の方法を実行するように適合される、
ことを特徴とする請求項２８に記載のネットワークノード。
【発明の詳細な説明】
【技術分野】
【０００１】
ここでの実施形態は、ネットワークノード、ユーザ端末及びそれらにおける方法に関する。特に、ここでの実施形態は、電気通信システムにおける下りリンク伝送の伝送ブロックサイズを決定することに関する。
【背景技術】
【０００２】
今日の無線通信ネットワークでは、無線通信のための少しの可能性のある技術を記述するだけでも、ロングタームエボリューション（ＬＴＥ）、ＬＴＥ−Ａｄｖａｎｃｅｄ、広帯域符号分割多元接続（ＷＣＤＭＡ（登録商標））、モバイル通信用グローバルシステム／ＧＳＭエボリューション用拡張データレート（ＧＳＭ（登録商標）／ＥＤＧＥ）、全世界相互運用マイクロ波アクセス（ＷｉＭａｘ）、又はウルトラモバイルブロードバンド（ＵＭＢ）のような多くの異なる技術が用いられている。無線通信ネットワークは、セルを形成する少なくとも１つの個別の地理的領域にわたって無線カバレッジを提供する無線基地局を有する。セルの定義は、伝送に用いられる周波数帯域を組み込んでおり、これは、２つの異なるセルが、異なる周波数帯域を使用するが同一の地理的領域をカバーしうることを意味する。ユーザ端末（ＵＥ）は、個別の無線基地局によるセルにおいてサービスを提供され、それぞれの無線基地局と通信を行っている。ユーザ端末は、上りリンク（ＵＬ）伝送において、無線基地局へエア又は無線インタフェースを介してデータを送信し、無線基地局は、下りリンク（ＤＬ）伝送において、エア又は無線インタフェースを介してユーザ端末へデータを送信する。
【０００３】
ロングタームエボリューション（ＬＴＥ）は、モバイル電気通信ネットワークの第４世代（４Ｇ）へＷＣＤＭＡ標準を発展させるための、第３世代パートナーシッププロジェクト（３ＧＰＰ）内でのプロジェクトである。第３世代（３Ｇ）のＷＣＤＭＡと比べると、ＬＴＥは、キャパシティの増加、データのピーク速度の大幅な高速化およびレイテンシ数の大幅な改善を与える。例えば、ＬＴＥ規格は、３００Ｍｂｐｓまでの下りリンクのデータピーク速度と７５Ｍｂｉｔ／ｓまでの上りリンクのデータピーク速度、及び、１０ｍｓより少ない無線アクセスネットワークのラウンドトリップタイムをサポートしている。さらに、ＬＴＥは、２０ＭＨｚから１．４ＭＨｚに至るまでのスケーラブルなキャリア帯域幅をサポートし、周波数分割複信（ＦＤＤ）と時間分割複信（ＴＤＤ）処理の両方をサポートしている。
【０００４】
ＬＴＥテクノロジは、直交周波数分割多重（ＯＦＤＭ）を用いて伝送が送られるモバイルブロードバンド無線通信テクノロジであり、ここではネットワークノード又はｅＮＢとしても呼ばれる基地局から、ここではユーザ端末又はＵＥとも呼ばれるモバイル端末へ、通信が送られる。伝送のＯＦＤＭは、信号を、周波数で、複数の並列のサブキャリアに分ける。
【０００５】
ＬＴＥの伝送の基本単位は、１つのタイムスロットにおいて１２個のサブキャリアと７個のＯＦＤＭシンボルを含む、ＬＴＥの最も一般的な構成である、リソースブロック（ＲＢ）である。１つのサブキャリアと１つのＯＦＤＭシンボルとの単位は、図１に示すように、リソースエレメント（ＲＥ）と呼ばれる。したがって、ＲＢは、８４個のＲＥを含む。
【０００６】
したがって、基本的なＬＴＥ下りリンク物理リソースは、このように、図１に図解されるように、時間−周波数グリッドとして見られてもよく、各リソースエレメント（ＲＥ）は、１つのＯＦＤＭシンボル間隔の間の１つのＯＦＤＭサブキャリアに対応する。シンボル間隔は、サイクリックプリフィックス（ｃｐ）を含み、ｃｐは、シンボル間のガードバンドとして機能し若しくは周波数領域の処理を促進し又はその両方であるように、シンボルの終端の繰り返しを用いてそのシンボルの前に置くものである。サブキャリア間隔Δｆを有するサブキャリアのための周波数は、ｚ軸に沿って定められ、シンボルはｘ軸に沿って定められる。
【０００７】
時間領域において、ＬＴＥ下りリンク伝送は、１０ｍｓの無線フレームに編成され、各無線フレームは、図２に示すように、等サイズ化され、それぞれがＴsub-frame＝１ｍｓの時間長を有する１０個のサブフレーム＃０〜＃９を含む。さらに、ＬＴＥにおけるリソース割り当ては、通常、リソースブロックの観点で記述され、リソースブロックは、時間領域において０．５ｍｓ、そして周波数領域において１２サブキャリアの１つのスロットに対応する。リソースブロックには、システム帯域幅の一端から、リソースブロック０で開始する周波数領域における番号付けが、行われる。
【０００８】
ＬＴＥ無線サブフレームは、図３に示すように、周波数においてシンボルの帯域幅を決定する多くのＲＢを伴う複数のＲＢと、時間の２つのスロットとからなる。さらに、サブフレームにおける、時間的に隣接する２つのＲＢは、ＲＢペアとして示されうる。
【０００９】
下りリンク伝送は、現在の下りリンクサブフレームにおいて、動的にスケジューリングされる。これは、各サブフレームにおいて、ネットワークノードが、ＵＥデータが送信される先及びそのデータがどのリソースブロックにおいて送信されるかについての制御情報を送信することを意味する。この制御シグナリングは、通常、各サブフレームにおいて、制御領域として示される最初の１、２、３又は４つのＯＦＤＭシンボルにおいて送信される。図３では、例えば、制御シグナリングとして３つの可能なＯＦＤＭシンボルのうち１つを用いる下りリンクシステムが図解されている。
【００１０】
動的スケジューリング情報は、制御領域で送信される物理下りリンク制御チャネル（ＰＤＣＣＨ）を介して、ＵＥへ伝達される。ＵＥは、ＰＤＣＣＨの復号に成功した後、ＬＴＥ規格で規定されている事前に定められたタイミングに従って、物理下りリンク共有チャネル（ＰＤＳＣＨ）の受信、又は物理上りリンク共有チャネル（ＰＵＳＣＨ）の送信を実行する。
【００１１】
さらに、ＬＴＥは、ハイブリッドＡＲＱ（ＨＡＲＱ）を使用する。すなわち、ＵＥは、サブフレームにおいてＤＬデータを受信した後、その復号を試行し、復号が成功した又は成功しなかった場合に、ネットワークノードへ、肯定応答（ＡＣＫ）又は否定応答（ＮＡＣＫ）を報告する。これは、物理上りリンク制御チャネル（ＰＵＣＣＨ）を介して実行される。復号の試行が失敗した場合、ネットワークノードは、その誤ったデータを再送信することができる。
【００１２】
同様に、ネットワークノードは、ＰＵＳＣＨの復号が成功した又は成功しなかった場合に、物理ハイブリッドＡＲＱインジケータチャネル（ＰＨＩＣＨ）を介して、ＵＥに対して、肯定応答（ＡＣＫ）又は否定応答（ＮＡＣＫ）を示すことができる。
【００１３】
制御領域で送信されるＤＬのレイヤ１／レイヤ２（Ｌ１／Ｌ２）制御シグナリングは、以下の様々な物理チャネルタイプを有する：
−  物理制御フォーマットインジケータチャネル（ＰＣＦＩＣＨ）。これは、ＵＥに、制御領域のサイズについて、例えば１０個のＲＢより大きいシステム帯域幅に対して１、２又は３個のＯＦＤＭシンボルを、１０個のＲＢ以下のシステム帯域幅に対して２、３又は４個のＯＦＤＭシンボルを、通知する。各コンポーネントキャリアにおいて、又は等価的に各セルにおいて、ＰＣＦＩＣＨはただ１つのみ存在する。
−  物理下りリンク制御チャネル（ＰＤＣＣＨ）。これは、ＤＬスケジューリング割り当て及びＵＬスケジューリンググラントをシグナリングするのに用いられる。各ＰＤＣＣＨは、通常、単一のＵＥのためのシグナリングを運ぶが、一群のＵＥをアドレス指定するのに用いられることもできる。各セルにおいて複数のＰＤＣＣＨが存在することができる。
−  物理ハイブリッドＡＲＱインジケータチャネル（ＰＨＩＣＨ）。これは、ＵＬ−ＳＣＨ伝送に応答して、ハイブリッドＡＲＱの確認応答をシグナリングするのに用いられる。各セルにおいて、複数のＰＨＩＣＨが存在することができる。
【００１４】
これらの物理チャネルは、４つの密集したリソースエレメントを含むリソースエレメントグループ（ＲＥＧ）の単位で編成される。ＰＣＦＩＣＨは４つのＲＥＧを占め、ＰＨＩＣＨグループは、３つのＲＥＧを占める。８ＲＢのシステム帯域幅を想定したＬＴＥの制御領域における制御チャネルの例を図４に示す。
【００１５】
（物理下りリンク制御チャネル（ＰＤＣＣＨ））
ＰＤＣＣＨは、例えば、スケジューリングの決定及び電力制御コマンドなどの、下りリンク制御情報（ＤＣＩ）を運ぶのに使用される。より具体的には、ＤＣＩは、以下を含む。
−  下りリンクスケジューリング割り当て。これらは、ＰＤＳＣＨリソース表示、伝送フォーマット、ハイブリッドＡＲＱ情報及び（適用可能な場合）空間多重に関する制御情報を含みうる。また、下りリンクスケジューリング割り当ては、下りリンクスケジューリング割り当てに応答してのハイブリッドＡＲＱの確認応答の送信に用いられるＰＵＣＣＨの、電力制御のためのコマンドを含む。
−  上りリンクスケジューリンググラント。これらは、ＰＵＳＣＨリソース表示、伝送フォーマット、及びハイブリッドＡＲＱ関連情報を含む。また、上りリンクスケジューリンググラントは、ＰＵＳＣＨの電力制御のためのコマンドを含む。
−  スケジューリング割り当て／グラントに含まれるコマンドに対する補完物として機能し得る、ＵＥの集合に対する電力制御コマンド。
【００１６】
ＤＬ及びＵＬの両方において、複数のＵＥが同時にスケジューリングされうるため、各サブフレームの内部で複数のスケジューリングメッセージを送信する可能性が必ず生じる。各スケジューリングメッセージは別個のＰＤＣＣＨで送信され、したがって、通常、各セル内での複数の同時のＰＤＣＣＨ伝送が生じる。複数のＵＥを収容するために、ＬＴＥは、いわゆる検索領域を定義している。検索領域は、所定のコンポーネントキャリアに関するスケジューリング割り当て／グラントのためにＵＥが監視することが想定されているＣＣＥの集合を記述している。ＵＥは、複数の検索領域、すなわち、ＵＥ固有検索領域及び共通検索領域、を有する。
【００１７】
システムスループット容量と共に、ユーザエクスペリエンス及びサービス品質を向上させるために、無線通信ネットワークでは、フェージングチャネル環境に対する高速なリンクアダプテーションが使用される。高速リンクアダプテーションの動作における重要項目は、受信機から送信機へフィードバックされるチャネル状態の適時の更新である。フィードバックは、例えば、信号対雑音比（ＳＮＲ）信号対干渉及び雑音比（ＳＩＮＲ）、受信信号レベル（例えば電力又は強度）、サポート可能なデータ速度、変調及び符号化率のサポート可能な組み合わせ、サポート可能なスループットなどのような、いくつかの関連する形式を有し得る。情報は、また、Ｗ−ＣＤＭＡシステムにおけるように周波数帯域全体、又はＬＴＥシステムのような、ＯＦＤＭに基づくシステムによって可能とされるような周波数帯域の特定の部分に関連する。これらのフィードバックメッセージは、一般に、チャネル品質インジケータ（ＣＱＩ）と呼ばれうる。
【００１８】
ＬＴＥにおけるＤＬデータ処理では、無線リソース割り当ての決定において、ネットワークノードにおける送信器をアシストするために、ＣＱＩメッセージがＵＥからネットワークノードへフィードバックされる。フィードバック情報は、例えば、複数の受信機の間での伝送スケジューリングを決定するため、例えば、アクティブ化する送信アンテナの数などの適切な伝送手法を選択するため、適切な量の帯域幅を割り当てるため、そして、ＵＥの対象の受信器に対するサポート可能な変調及び符号化率を形成するために、使用されうる。
【００１９】
ＬＴＥにおけるＵＬデータ処理では、ネットワークノードは、ＵＥが送信する復調参照シンボル（ＤＲＳ）又はサウンディング参照シンボル（ＳＲＳ）からチャネル品質を推定しうる。
【００２０】
ＬＴＥにおけるＣＱＩメッセージの範囲を、図５のＣＱＩメッセージテーブルに示す。このテーブルは、標準規格である非特許文献１に提示される表７．２．３−１である。このＣＱＩメッセージテーブルは、特に、広帯域の無線通信チャネルにわたっての変調及び符号化手法（ＭＣＳ）アダプテーションをサポートするように設計されている。低次の変調から高次の変調への遷移点は、広範囲に及ぶリンク性能評価を用いて検証されている。したがって、これらの異なる変調間の特定の遷移点は、よく調節されたシステム動作のためのガイドラインを与える。
【００２１】
ネットワークノードは、ＵＥからのＣＱＩメッセージに基づいて、ＰＤＳＣＨでデータを送信するのに最良のＭＣＳを選択しうる。ＭＣＳ情報は、図６のＭＣＳテーブルに示されるように、ＤＣＩの５ビットの「変調及び符号化手法」フィールド（ＩMCS）で、選択されたＵＥに対して運ばれる。ＭＣＳフィールドＩMCSは、変調Ｑm及び伝送ブロックサイズ（ＴＢＳ）インデックスＩTBSとの両方を、ＵＥへシグナリングする。割り当てられるＲＢの総数と併せて、ＴＢＳインデックスＩTBSは、さらに、ＰＤＳＣＨ伝送で用いられる正確な伝送ブロックサイズを決定する。最後の３つのＭＣＳエントリは、ＨＡＲＱ再送のためのものであり、したがって、ＴＢＳは、本来の伝送のものと同一のまま維持される。
【００２２】
異なる数の割り当てられる無線ブロックに対する特定のＴＢＳは、標準規格である非特許文献１におけるＴＢＳテーブル７．１．７．２．１−１、すなわち大きい２７×１１０のテーブルにおいて、単一レイヤ伝送の場合に対して定義され、リスト化されている。しかしながら、これらのＴＢＳはＣＱＩメッセージに整合する周波数利用効率を達成するために設計されている。より具体的には、図７のテーブルに示される周波数利用効率を達成するようにＴＢＳが選択される。
【００２３】
なお、図５におけるＣＱＩメッセージテーブルは、そしてその結果として、図６のＭＣＳテーブルは、両方とも、１１個のＯＦＤＭシンボルがＰＤＳＣＨ伝送に利用可能であるという仮定に基づいて設計されている。これは、ＰＤＳＣＨに利用可能なＯＦＤＭシンボルの実際の数が１１とは異なる場合、伝送の周波数利用効率が、図７のテーブルに示される周波数利用効率から逸脱するだろうことを意味する。
【００２４】
（拡張制御チャネル（ｅＣＣＨ））
物理下りリンク共有チャネル（ＰＤＳＣＨ）のＵＥへの伝送は、制御メッセージ又はＲＳに使用されないＲＢペア内のＲＥを使用し得る。さらに、ＰＤＳＣＨは、伝送モードに応じて、復調の参照としてＵＥ固有参照シンボルとＣＲＳとのいずれかを用いて送信されうる。ＵＥ固有ＲＳを使用することで、マルチアンテナのネットワークノードが、複数のアンテナから送信されるデータ及び参照信号の両方のプリコーディングを用いて、ＵＥにおいて受信信号電力が増大するように、伝送を最適化することが可能となる。したがって、チャネル推定性能が向上し、伝送のデータ速度を増加させることが可能となる。
【００２５】
ＬＴＥリリース１０では、中継物理下りリンク制御チャネルも定義されており、Ｒ−ＰＤＣＣＨと表記される。Ｒ−ＰＤＣＣＨは、ネットワークノードから中継ノード（ＲＮ）へ制御情報を送信するのに使用される。Ｒ−ＰＤＣＣＨは、データ領域に配置され、したがって、ＰＤＳＣＨ伝送と同様である。Ｒ−ＰＤＣＣＨの伝送は、広いセルカバレッジを与えるためのＣＲＳと、ＵＥ固有ＲＳを用いたＰＤＳＣＨと同様に、プリコーディングによって特定のＲＮへのリンク性能を向上させるためのＲＮ固有参照信号とのいずれかを用いるように設定されうる。後者の場合、ＵＥ固有ＲＳが、Ｒ−ＰＤＣＣＨ伝送のためにも使用される。Ｒ−ＰＤＣＣＨは、システム帯域幅において設定されたいくらかのＲＢペアを占め、したがって、図８に示すように、残りのＲＢペアにおけるＰＤＳＣＨ伝送と周波数多重化される。
【００２６】
図８は、１０個のＲＢペアと、３個のＲ−ＰＤＣＣＨ、すなわち、それぞれが１個のＲＢペアのサイズの赤、緑又は青、の伝送と、を示す下りリンクのサブフレームを示している。Ｒ−ＰＤＣＣＨは、ＰＤＣＣＨを最初の１個から４個のシンボルにおいて送信することを可能とするため、ＯＦＤＭシンボルのゼロからは開始されない。残りのＲＢペアを、ＰＤＳＣＨ伝送に使用し得る。
【００２７】
ＬＴＥリリース１１の議論では、注意が、ＵＥ固有伝送と同一の原理を、拡張制御チャネル用の、すなわち、ＰＤＣＣＨ、ＰＨＩＣＨ、ＰＢＣＨ、及び物理構成表示チャネル（ＰＣＦＩＣＨ）を含む、ＰＤＳＣＨ及びＲ−ＰＤＣＣＨのために採用することに変わった。これは、そのようなＵＥ固有参照信号に基づくべき伝送を用いた一般的な制御メッセージのＵＥへの伝送を可能とすることによってなされうる。これは、制御チャネルに対してもプリコーディング利得を得られる場合があることを意味している。他の利点は、異なるＲＢペアを異なるセルまたはセル内の異なる伝送点に割り当てうることである。それにより、制御チャネル間のセル間干渉調整が達成されうる。この周波数調整は、ＰＤＣＣＨが帯域幅全体に及ぶため、ＰＤＣＣＨを用いては可能ではない。
【００２８】
図９は、ＰＤＣＣＨにおけるＣＣＥと同様に複数のグループ（ｅＲＥＧ）に分割され、拡張制御領域の１つにマッピングされる、エンハンスドＰＤＣＣＨ（ｅＰＤＣＣＨ）を示している。しかしながら、ｅＰＤＣＣＨ、ｅＲＥＧ及びＲＥの間の関係は、３ＧＰＰ標準においていまだ決定されていないことに留意すべきである。１つのオプションは、ｅＰＤＣＣＨとｅＲＥＧ／ＲＥとの間の関係が、ＰＤＣＣＨに関してのもの、すなわち１つのｅＰＤＣＣＨが３６個のＲＥに対応する１つ又は複数のｅＣＣＥに分割され、また、ｅＣＣＥが同様にそれぞれ４つのＲＥを含む９個のｅＲＥＧに分割されるのと同様であるものとすること、であるだろう。別のオプションは、３６個までのＲＥに対応する１つのｅＣＣＥを有し、各ｅＲＥＧが１８個のＲＥに対応することでありうる。また別のオプションによれば、例えば７２又は７４などのような、３６個より多くのＲＥにもｅＣＣＥが対応すべきことが決定されうる。
【００２９】
すなわち、図９は、局所化された伝送を達成するために、拡張制御領域の１つにマッピングされるｅＰＤＣＣＨに属するＣＣＥを示す下りリンクのサブフレームを示している。
【００３０】
なお、図９では、拡張制御領域は、サブフレームにおけるＰＤＣＣＨの同時伝送を収容するために、ＯＦＤＭシンボル・ゼロにおいて開始されない。しかしながら、上述したように、将来のＬＴＥリリースではＰＤＣＣＨを有しないキャリアタイプがある可能性があり、その場合、拡張制御領域は、サブフレーム内のＯＦＤＭシンボル・ゼロから開始されうる。
【００３１】
（時分割複信（ＴＤＤ））
ＵＥからの送信及び受信は、周波数領域において、時間領域において、又は例えば半二重ＦＤＤなどの、その２つの領域の組み合わせにおいて、多重化されうる。図１０は、周波数分割複信（ＦＤＤ）と時分割複信（ＴＤＤ）との図解を示している。
【００３２】
周波数分割複信（ＦＤＤ）は、ＤＬ伝送とＵＬ伝送とが、異なる十分に分離された周波数帯域で行われることを意味し、一方で、時分割複信（ＴＤＤ）は、ＤＬ伝送とＵＬ伝送とが、異なる、重なり合わない時間スロットで行われることを意味する。したがって、ＦＤＤが対になっている周波数帯を必要とするのに対して、ＴＤＤは、対になっていない周波数帯において動作しうる。
【００３３】
通常、送信信号の構造は、フレーム構造の形式で編成される。例えば、ＬＴＥは、図２及び１１に示されるように、無線フレームごとに長さが１ｍｓの１０個の等サイズのサブフレームを使用する。
【００３４】
図１１の上部に示されるように、ＦＤＤ動作の場合、２つのキャリア周波数が存在し、１つのキャリア周波数はＵＬ伝送（ＦUL）のためのものであり、１つのキャリア周波数はＤＬ伝送（ＦDL）のためのものである。少なくともＵＥに関して、ＦＤＤは、全二重又は半二重のいずれかでありうる。全二重の場合、ＵＥは、送信と受信とを同時に行いうる一方で、半二重動作の場合、ＵＥは同時に送信と受信とを行うことはできない。しかしながら、ネットワークノードは同時の受信または送信、例えば１つのＵＥから受信する一方で他のＵＥへ同時に送信すること、が可能であることに留意されたい。ＬＴＥの場合、半二重のＵＥは、所定のサブフレームにおいて送信することを明示的に指示されているときを除いて、ＤＬを監視し又は受信する。
【００３５】
図１１の下部に示されるように、ＴＤＤ動作の場合、単一のキャリア周波数が存在し、ＵＬ伝送とＤＬ伝送とが、常に時間で、また、セルに基づいても、分離される。同一のキャリア周波数がＵＬ伝送とＤＬ伝送とに使用されるため、ネットワークノードとＵＥとの両方が、送信から受信へ、そしてその逆に、切り替えることが必要である。任意のＴＤＤシステムの重要な態様は、ＤＬ伝送とＵＬ伝送とのいずれもが出現しない、十分に大きいガードタイムに対する可能性を提供することである。これは、ＵＬ伝送とＤＬ伝送との間の干渉を避けるために必要である。ＬＴＥに対して、このガードタイムは、特定のサブフレーム、例えばサブフレーム＃１及びいくつかの場合はサブフレーム＃６によって与えられる。そして、これらは、下りリンク部分（ＤｗＰＴＳ）、ガード区間（ＧＰ）、及び上りリンク部分（ＵｐＰＴＳ）の３つの部分に分けられる。残りのサブフレームは、ＵＬ伝送とＤＬ伝送とのいずれかに割り当てられる。
【００３６】
ＴＤＤは、異なるＵＬ設定及びＤＬ設定を用いて、ＵＬ伝送とＤＬ伝送とのそれぞれに割り当てられるリソースの量の観点で様々な非対称性を可能とする。図１２に示されるように、ＬＴＥでは７つの異なる設定がある。ＤＬサブフレームは、あるＤＬ  サブフレーム又は特定のサブフレームのいずれかを意味し得ることに留意すべきである。
【００３７】
ＬＴＥシステムは、ＦＤＤモード及びＴＤＤモードを含む広範な動作モードをサポートするように設計されている。これらのモードのそれぞれは、通常のセルサイズのための通常のサイクリックプリフィックス（ＣＰ）長、又は、大きいセルサイズのための伸長されたＣＰ長を用いて、動作し得る。ＤＬからＵＬへの切り替えを促進するために、いくつかの特定のＴＤＤサブフレームが、短縮された区間を用いて、ＤｗＰＴＳでユーザデータを送信するために設定される。
さらに、ＬＴＥシステムにおいて、利用可能なリソースは、制御情報とユーザデータ情報との間に動的に割り当てられうる。例えば、通常のサブフレームにおける無線リソースは、１４個のＯＦＤＭシンボルに編成される。ＬＴＥシステムは、制御情報を送信するためのシステム帯域幅が非常に小さい場合、｛０、１、２、３｝個のＯＦＤＭシンボル、又は｛０、２、３、４｝個のＯＦＤＭシンボルを動的に使用し得る。結果として、データ伝送に利用可能なＯＦＤＭシンボルの実際の数は１４、１３、１２、１１又は１０である。
【先行技術文献】
【非特許文献】
【００３８】
【非特許文献１】３ＧＰＰ  ＴＳ３６．２１３、「Ｐｈｙｓｉｃａｌ  Ｌａｙｅｒ  Ｐｒｏｃｅｄｕｒｅｓ」
【発明の概要】
【発明が解決しようとする課題】
【００３９】
様々な動作モードにおけるＰＤＳＣＨ伝送のために利用可能なＯＦＤＭシンボルの数の要約を図１３のテーブルに与える。
【００４０】
先に述べたように、図５におけるＣＱＩメッセージテーブル、そして、結果として、図６のＭＣＳテーブルは、両方とも、１１個のＯＦＤＭシンボルがＰＤＳＣＨ伝送に利用可能である仮定に基づいて設計されている。図１３におけるテーブルに示されるように、実際の伝送に利用可能なリソースがこの仮定に整合しない場合が多くある。したがって、この仮定は、ＰＤＳＣＨに利用可能なＯＦＤＭシンボルの実際の数が仮定された１１個のＯＦＤＭシンボルから外れている場合に、不整合問題を引き起こす場合があり、これにより、結果としてデータスループットを低下させるだろう。
【００４１】
ここでの実施形態の目的は、電気通信システムにおいてデータスループットの増加を提供することである。
【課題を解決するための手段】
【００４２】
ここでの実施形態の第１の態様によれば、その目的は、伝送ブロックサイズを決定するためのユーザ端末における方法により達成される。伝送ブロックサイズは、ユーザ端末により、拡張制御チャネルｅＣＣＨにおいて、ネットワークノードから下りリンクデータ伝送を受信する際に使用される。ユーザ端末及びネットワークノードは、電気通信システムに含まれる。ユーザ端末は、所定の伝送ブロックサイズのテーブルにアクセスできる。ユーザ端末は、下りリンクデータ伝送に割り当てられたＰＲＢの総数Ｎ'PRB、そして、ＰＲＢオフセット値ＯPRB又はＰＲＢ調整係数ＡPRBに基づいて、インジケータＮPRBを計算する。そして、ユーザ端末は、計算されたインジケータＮPRBに少なくとも基づいて、所定の伝送ブロックサイズのテーブルから、伝送ブロックサイズを決定する。
【００４３】
ここでの実施形態の第２の態様によれば、その目的は、伝送ブロックサイズを決定するためのユーザ端末により達成される。伝送ブロックサイズは、ユーザ端末により、拡張制御チャネルｅＣＣＨにおいて、ネットワークノードから下りリンクデータ伝送を受信する際に使用される。ユーザ端末及びネットワークノードは、電気通信システムに含まれる。ユーザ端末は、所定の伝送ブロックサイズのテーブルにアクセスできる。ユーザ端末は、下りリンクデータ伝送に割り当てられたＰＲＢの総数Ｎ'PRBと、ＰＲＢオフセット値ＯPRB又はＰＲＢ調整係数ＡPRBとに基づいて、インジケータＮPRBを計算するように構成される処理回路を有する。処理回路は、さらに、計算されたインジケータＮPRBに少なくとも基づいて、所定の伝送ブロックサイズのテーブルから伝送ブロックサイズを決定するように構成される。
【００４４】
ここでの実施形態の第３の態様によれば、その目的は、伝送ブロックサイズを決定するためのネットワークノードにおける方法により達成される。伝送ブロックサイズは、ネットワークノードによって、拡張制御チャネルｅＣＣＨにおいて、下りリンクデータ伝送をユーザ端末へ送信する際に使用される。ネットワークノード及びユーザ端末は、電気通信システムに含まれる。ネットワークノードは、所定の伝送ブロックサイズのテーブルにアクセスできる。ネットワークノードは、下りリンクデータ伝送に割り当てられたＰＲＢの総数Ｎ'PRBと、ＰＲＢオフセット値ＯPRB又はＰＲＢ調整係数ＡPRBとに基づいて、インジケータＮPRBを計算する。そして、ネットワークノードは、計算されたインジケータＮPRBに少なくとも基づいて、所定の伝送ブロックサイズのテーブルから、伝送ブロックサイズを決定する。
【００４５】
ここでの実施形態の第４の態様によれば、その目的は、伝送ブロックサイズを決定するためのネットワークノードによって達成される。伝送ブロックサイズは、ネットワークノードによって、拡張制御チャネルｅＣＣＨにおいて、下りリンクデータ伝送をユーザ端末へ送信する際に使用される。ネットワークノード及びユーザ端末は、電気通信システムに含まれる。ネットワークノードは、所定の伝送ブロックサイズのテーブルにアクセスできる。ネットワークノードは、下りリンクデータ伝送に割り当てられたＰＲＢの総数Ｎ'PRBと、ＰＲＢオフセット値ＯPRB又はＰＲＢ調整係数ＡPRBとに基づいて、インジケータＮPRBを計算するように構成される処理回路を有する。処理回路は、さらに、計算されたインジケータＮPRBに少なくとも基づいて、所定の伝送ブロックサイズのテーブルから、伝送ブロックサイズを決定するように構成される。
【発明の効果】
【００４６】
ｅＣＣＨにおける下りリンクデータ伝送のためのＯＦＤＭシンボルの実際の数が仮定された１１個のＯＦＤＭシンボルから離れる場合、下りリンクデータ伝送のための適切な符号化率を生成する適切な変調及び符号化手法（ＭＣＳ）の数は、著しく少なくなるだろう。上述のように、伝送ブロックサイズの決定においてＰＲＢオフセット値ＯPRB又はＰＲＢ調整係数ＡPRBを含めることにより、ユーザ端末は、不適切な変調及び符号化手法を避ける。これは、例えば、下りリンクデータ伝送が失敗し、再送信されることを必要とさせる不適切な符号化率が避けられるため、ｅＣＣＨにおける下りリンクデータ伝送の、より良好なスケジューリングを可能とする。
【００４７】
したがって、電気通信システムにおけるデータスループットを増加させる方法が達成される。
【００４８】
本実施形態の、上述の、そして他の特徴及び利点は、添付の図面を参照した、その例示の実施形態の以下の詳細な説明により、当業者に直ちに明らかになるだろう。
【図面の簡単な説明】
【００４９】
【図１】ＬＴＥ下りリンク物理リソースの概略ブロック図。
【図２】無線フレームを描く概要図。
【図３】ＤＬサブフレームを描く概要図。
【図４】ＬＴＥ制御領域における制御チャネルを描く概要図。
【図５】ＬＴＥのための４ビットのＣＱＩメッセージテーブル。
【図６】ＬＴＥ  ＰＤＳＣＨのための変調及びＴＢＳインデックステーブル（ＭＣＳテーブル）。
【図７】ＰＤＳＣＨのために１１個のＯＦＤＭシンボルを用いるＬＴＥに対する周波数利用効率を描くテーブル。
【図８】中継制御チャネルを含むＤＬサブフレームを描く概要図。
【図９】ｅＰＤＣＣＨに属するＣＣＥを含むＤＬサブフレームを描く概要図。
【図１０】周波数分割複信（ＦＤＤ）及び時分割複信（ＴＤＤ）を描く概要図。
【図１１】周波数分割複信（ＦＤＤ）及び時分割複信（ＴＤＤ）の場合のＬＴＥのための時間及び周波数におけるフレーム構造を描く概要図。
【図１２】時分割複信（ＴＤＤ）の場合の、ＬＴＥのための様々な設定を描く概要図。
【図１３】ＬＴＥにおける様々な動作モードに対するＰＤＳＣＨのためのＯＦＤＭシンボルの利用可能な数を描くテーブル。
【図１４】ＬＴＥ  ＦＤＤ又はＴＤＤの非特定サブフレームにおけるＰＤＳＣＨのためのＯＦＤＭシンボルの様々な数に伴う符号化率を描くテーブル。
【図１５】ＬＴＥ  ＴＤＤの特定のサブフレームにおけるＰＤＳＣＨのためのＯＦＤＭシンボルの様々な数に伴う符号化率を描くテーブル。
【図１６】電気通信システムにおける実施形態を説明する概略ブロック図。
【図１７】ユーザ端末における方法の実施形態を描くフローチャート。
【図１８】ネットワークノードにおける方法の実施形態を描くフローチャート。
【図１９】ネットワークノードの実施形態の概略ブロック図。
【図２０】ユーザ端末の実施形態の概略ブロック図。
【発明を実施するための形態】
【００５０】
図面は、明瞭性のために概略的かつ単純化されており、実施形態の理解にとって必要である詳細のみを示している一方で、他の詳細については除外されている。全体を通じて、同一の参照番号が、同一の又は対応する部分又はステップに対して使用される。
【００５１】
ここで説明する実施形態を明らかにする一部として、まず、問題について、特定し、議論する。
【００５２】
いくつかのシナリオにおいて、ＴＤＤの特定のサブフレームにおいてＯＦＤＭシンボルの明らかな不整合を取り扱うための１つの方法が、標準規格である非特許文献１の中に導入されていることが分かる。
【００５３】
通常、下りリンクのサブフレームに対して、ユーザ端末は、まず、割り当てられたＰＲＢの総数を計算する。割り当てられたＰＲＢの総数は、標準規格である非特許文献１で与えられる下りリンク制御及び手順に含まれるＰＲＢリソース割り当てに基づく。割り当てられたＰＲＢの総数を、Ｎ'PRBで表す。
【００５４】
その後、標準規格である非特許文献１におけるＴＢＳテーブル７．１．７．２．１−１におけるインジケータとしてＮPRB＝Ｎ'PRBを用いることによって、伝送ブロックサイズ（ＴＢＳ）が決定される。段インジケータは、ＴＢＳを決定する際に、ＴＢＳテーブルにおいてどの段を見るべきかを示す。
【００５５】
しかしながら、ここで、フレーム構造におけるＴＤＤの特定のサブフレームのＤｗＰＴＳで伝送ブロックが送信される場合、ＴＢＳは、代わりにＵＥによって、標準規格である非特許文献１におけるＴＢＳテーブル７．１．７．２．１−１でいずれの段を用いるべきかの段インジケータとして、
ＮPRB＝max{[Ｎ'PRB×0.75]，1}
を用いることにより決定される。
【００５６】
残念ながら、これは、ＰＤＳＣＨに利用可能なＯＦＤＭシンボルの実際の数が仮定される１１個のＯＦＤＭシンボルから離れる場合に、不整合問題を完全に対処するものではなく、これにより、結果として、データスループットが低下するだろう。
【００５７】
これは、図１４〜１５のテーブルに示されている。図１４は、ＬＴＥ  ＦＤＤ又はＴＤＤの非特定サブフレームにおける、すなわち、例えば通常の下りリンクの通常のサブフレームのための、ＰＤＳＣＨ用のＯＦＤＭシンボルの様々な数に伴う符号化率を示している。図１５は、ＬＴＥ  ＴＤＤの特定のサブフレーム、例えばＤｗＰＴＳにおけるＰＤＳＣＨのためのＯＦＤＭシンボルの様々な数に伴う符号化率を示している。
【００５８】
１つの態様によれば、図１４〜１５のテーブルから、ＰＤＳＣＨ用のＯＦＤＭシンボルの実際の数が仮定された１１シンボルより実質的に小さい場合、符号化率が過度に高くなることを見て取れる。これらの場合は、図１４〜１５のテーブルにおける領域１４１、１５１によって示されている。ユーザ端末は、このような高い符号化率を復号することはできないため、これらの指示されたＭＣＳに基づく伝送は失敗し、再送が必要となるだろう。
【００５９】
別の態様によれば、無線リソースの家庭の不整合に伴って、いくつかのＭＣＳについての符号化率が広帯域の無線システムにとって適切な範囲から外れることを見て取れる。広範なリンク性能評価に基づき、図５のＣＱＩメッセージテーブルは、ＱＰＳＫ及び１６ＱＡＭに対する符号化率が０．７０より高くなるべきでないこと、そして、１６ＱＡＭ及び６４ＱＡＭに対する符号化率がそれぞれ０．３２及び０．４０より低くなるべきでないことに基づいて、設計されている。図１４〜１５のテーブルにおける領域１４２、１５２に示されるように、いくつかの場合において、ＭＣＳのいくつかは、準最適、又はより適切でない符号化率を与えるだろう。
【００６０】
さらなる態様によれば、ｅＣＣＨの場合において、所定数のＰＲＢがｅＣＣＨを運ぶために割り当てられることを見て取れる。低負荷シナリオでは、ネットワークノードは、単一のユーザ端末に対して、そのユーザ端末のためのピークデータ速度サービスを可能とするために、スケジューリングを行いうる。このユーザ端末に対するｅＣＣＨは少なくとも１つのＰＲＢを占めうるため、ユーザ端末は、全ての下りリンクのＰＲＢを割り当てられえない。ＬＴＥ規格は、最大のＴＢＳの使用を、全ての下りリンクのＰＲＢをユーザ端末へ割り当てることと併せてのみ許容しているため、ｅＣＣＨが配置される場合、ピークデータ速度のサービスを提供することはできない。したがって、従来技術においては、ＰＤＳＣＨのためのＯＦＤＭシンボルの実際の数が仮定された１１個のＯＦＤＭシンボルから外れる場合、データスループットが減少するだろうことが分かる。
【００６１】
したがって、ｅＣＣＨにおける下りリンクのデータ伝送のためのＯＦＤＭシンボルの実際の数が、仮定された１１個のＯＦＤＭシンボルから外れる場合に、下りリンクのデータ伝送のための適切な符号化率を生成する適切な変調及び符号化手法（ＭＣＳ）の数は、著しく小さくなる。したがって、これらの場合に、ユーザ端末によって下りリンクのデータ伝送に割り当てられたＰＲＢの総数に基づいて通常のように選択される伝送ブロックサイズは、不適切な変調及び符号化手法（ＭＣＳ）が下りリンクデータ伝送のために選択され、使用されることを引き起こしうる。このような不適切な変調及び符号化手法の使用は、例えば、下りリンクデータ伝送において、下りリンクのデータ伝送が失敗して再送が必要となるような高い符号化率を生成しうる。これは電気通信システムにおけるデータスループットを低下させるだろう。
【００６２】
有利なことに、下りリンクのデータ伝送がこれらの不適切な又は準最適な符号化率に基づく場合はデータスループットが低下するため、ここでの実施形態の少なくともいくつかで説明されるネットワークノード及びユーザ端末におけるスケジューリングの実行は、下りリンクのデータ伝送におけるＯＦＤＭシンボルの指示される数に対して、図１４〜１５のテーブルに示される領域１５１、１５２、１６１及び１６２で示されるＭＣＳのいずれについても使用を避ける。
【００６３】
これは、代わりに、伝送ブロックサイズの決定において、ＰＲＢオフセット値ＯPRB又はＰＲＢ調整係数ＡPRBを含むことにより実行される。これは、ユーザ端末が、これらの、例えば、下りリンクのデータ伝送を失敗させ、再送を必要とさせうる不適切な変調及び符号化手法を回避することを意味する。したがって、ｅＣＣＨにおける下りリンクのデータ伝送のより良好なスケジューリングが可能となり、電気通信システムにおけるデータスループットの増加を達成することができる。
【００６４】
また、ここで説明する実施形態のいくつかは、有利なことに、ネットワークノードにおけるスケジューリングアルゴリズムの動作を複雑化することを回避することに留意すべきである。これは、回避される不適切なＭＣＳは中程度のＭＣＳのインデックスの範囲に配置されているからである。これは、そうでなければ、ネットワークノードにおけるスケジューリングアルゴリズムの動作を複雑化することがしられている。
【００６５】
ここで説明する実施形態のいくつかの別の利点は、ｅＣＣＨを用いて構成されるＬＴＥシステムにおいてピークデータ速度を達成することが可能となることである。
【００６６】
ここで説明する実施形態のいくつかのさらなる利点は、より良好なシステム性能を達成するための符号化率の良好な調整が可能となることである。
【００６７】
図１６は、電気通信システム１００を描いている。セルラ通信システム１００は、ＬＴＥ、ＷＣＤＭＡ、ＧＳＭネットワーク、任意の３ＧＰＰセルラネットワーク又は任意のセルラネットワーク若しくはシステムなどのような、無線通信ネットワークである。
【００６８】
電気通信システム１００は、基地局でありうるネットワークノード１１０を含む。ネットワークノード１１０は、セル１１５を提供する。ネットワークノード１１０は、この例では、例えば、ｅＮＢ、ｅノードＢ、又はホームノードＢ、ホームｅノードＢ、フェムト基地局（ＢＳ）、ピコＢＳ、又は電気通信システム１００においてセル１１５内に位置するユーザ端末又はマシンタイプの通信装置にサービスを提供することができる他の任意のネットワークユニットでありうる。
【００６９】
ユーザ端末１２１は、セル１１５の範囲内に位置する。ユーザ端末１２１は、ユーザ端末１２１がネットワークノード１１０によって供されるセル１１５内にいる場合に、無線リンク１３０を介してネットワークノード１１０を経て、電気通信システム１０２の中で通信するように構成される。ユーザ端末１２１は、例えば、モバイル端末、無線端末、携帯電話、無線機能を有する、ラップトップ、パーソナルデジタルアシスタント（ＰＤＡ）又は場合によってはサーフプレートと呼ばれるタブレットコンピュータのようなコンピュータ、プリンタ又はファイル記憶装置などの無線インタフェースを備える装置、又は他の任意の電気通信システムにおいて無線リンクを介して通信することができる他の無線ネットワークユニットでありうる。
【００７０】
ここで、ユーザ端末１２１における方法の実施形態について、図１７に描かれたフローチャートを参照して説明する。図１７のフローチャートは、伝送ブロックサイズを決定するためのユーザ端末１２１における方法を記述している。伝送ブロックサイズは、ユーザ端末１２１によって、拡張制御チャネルｅＣＣＨにおいてネットワークノード１１０からの下りリンクのデータ伝送を受信する際に使用される。ユーザ端末１２１及びネットワークノード１１０は、電気通信システム１００に含まれる。ユーザ端末１２１は、予め定められた伝送ブロックサイズについてのテーブルにアクセスできる。予め定められた伝送ブロックサイズについてのテーブルは、例えば、標準規格である非特許文献１におけるＴＢＳテーブル７．１．７．２．１−１でありうる。
【００７１】
図１７は、ユーザ端末１２１によってとられうる例示の動作又は操作の説明の例である。本フローチャートの図は、例としてのみ提供されるものであり、ユーザ端末１２１は、ここで与えられる例示の動作又は操作のいずれをも実行するように構成されうることが理解されるべきである。以下で図解される動作又は操作は単なる例であり、したがって、全ての動作又は操作が実行される必要がないことが理解されるべきである。また、動作又は操作は、任意の組み合わせ又は適切な順序で実行されてもよいことが理解されるべきである。図１７のフローチャートは、以下の動作を含み、また、以上及び以下で言及する任意の実施形態のために、又はそれらの任意の組み合わせで実装されうる。
【００７２】
（動作１７０１）
このオプションの動作では、ユーザ端末１２１は、条件を判定しうる。条件の存在が、インジケータ、例えば動作１７０３で説明するインジケータＮPRBの計算のトリガを与える。換言すれば、ユーザ端末１２１は、変調された伝送ブロックサイズの計算にトリガを与える条件を判定しうる。これは、ユーザ端末１２１が条件を判定し、その条件の存在が、インジケータＮPRBの計算にトリガを与えうることを意味する。
【００７３】
いくつかの実施形態では、条件は、ユーザ端末１２１がｅＣＣＨにおいて通信と通信要求との少なくともいずれかをネットワークノード１１０から受信することでありうる。ここで、ｅＣＣＨは、ユーザ端末固有の検索領域に配置されうる。いくつかの実施形態では、ユーザ端末１２１は、ユーザ端末１２１がＵＥ固有の検索領域において下りリンクのｅＣＣＨを受信する場合に以下で説明する動作に従って、伝送ブロックサイズを決定しうる。これらの実施形態によれば、これは、オプションとして、ユーザ端末１２１が、共通検索領域において下りリンクのｅＣＣＨを受信する場合には、以下で説明する動作に従って伝送ブロックサイズを決定しなくてもよいことを意味する。
【００７４】
いくつかの実施形態では、条件は、ユーザ端末１２１が変調された伝送ブロックサイズを計算するための、ネットワークノード１１０からの要求を受信することでありうる。変調された伝送ブロックサイズの計算は、変調された伝送ブロックサイズを決定し又は取得することとみなされうることに留意されたい。
【００７５】
（動作１７０２）
これはオプションの動作である。ここで、ユーザ端末１２１は、ＰＲＢオフセット値ＯPRB又はＰＲＢ調整係数ＡPRBを受信しうる。代替的に、ユーザ端末１２１は、ＰＲＢオフセット値ＯPRB又はＰＲＢ調整係数ＡPRBのための値を用いて設定されてもよい。
【００７６】
いくつかの実施形態では、ユーザ端末１２１は、ユーザ端末１２１がｅＣＣＨにおいて、ネットワークノード１１０から下りリンクのデータ伝送を受信し始める前に、ＰＲＢオフセット値ＯPRB又はＰＲＢ調整係数ＡPRBを受信しうる。
【００７７】
いくつかの実施形態では、ユーザ端末１２１は、物理下りリンク制御チャネルＰＤＣＣＨにおいてスケジューリングされた、ネットワークノード１１０からの下りリンクに含まれるＲＲＣメッセージにおいて、ＰＲＢオフセット値ＯPRB又はＰＲＢ調整係数ＡPRBを受信しうる。これは、ＰＲＢオフセット値ＯPRB又はＰＲＢ調整係数ＡPRBが無線リソース制御（ＲＲＣ）シグナリングを用いて設定されうることを意味する。
【００７８】
換言すれば、ユーザ端末１２１は、計算のパラメータを検索しうる。いくつかの実施形態では、ユーザ端末１２１は、ネットワークノード１１０から受信された要求、通信要求または通信から、計算のパラメータを検索してもよい。これは、通信要求がＰＲＢオフセット値ＯPRB又はＰＲＢ調整係数ＡPRBを含みうることを意味する。いくつかの実施形態では、ユーザ端末１２１は、下りリンクのｅＣＣＨを用いて計算のパラメータを検索しうる。いくつかの実施形態では、異なるユーザ端末１２１は、個別の制御シグナリングを介して、異なるＰＲＢオフセット値ＯPRB又は異なるＰＲＢ調整係数ＡPRBで設定されてもよい。
【００７９】
いくつかの実施形態では、ＰＲＢオフセット値ＯPRB又はＰＲＢ調整係数ＡPRBは、ユーザ端末１２１における固定値によって与えられうる。ＰＲＢオフセット値ＯPRB又はＰＲＢ調整係数ＡPRBの固定値は、例えば、ユーザ端末１２１が続く下りリンク割り当て、上りリンクグラント又は電力制御の少なくとも１つのためにｅＣＣＨを用いるように設定されている場合に、使用されうる。
【００８０】
いくつかの実施形態では、ユーザ端末１２１は、ネットワークノード１１０からの明示的なシグナリングを必要とせずに、例えば設定された伝送モード、ランク、ＣＦＩ、ＣＲＳポートの数、ｅＣＣＨのために設定されたＰＲＢペアの数などに基づいて、ユーザ端末１２１によって定められる、デフォルトのＰＲＢオフセット値ＯPRB又は調整係数ＡPRBを適用しうる。ＰＲＢオフセットＯPRB又は調整係数ＡPRBは、ネットワークノード１１０によってユーザ端末１２１へシグナリングされ、デフォルトのＰＲＢオフセット値ＯPRB又は調整係数ＡPRBは、ＲＲＣを通じて無効にされうる。
【００８１】
いくつかの実施形態では、ユーザ端末１２１は、ネットワークノード１１０からの通信要求において受信されたＰＲＢオフセット値ＯPRB又はＰＲＢ調整係数ＡPRBに対して、ユーザ端末１２１が検索したＰＲＢオフセット値ＯPRB又はＰＲＢ調整係数ＡPRBに対するより、高い優先度を与えてもよい。
【００８２】
いくつかの実施形態では、１つより多くのユーザ端末１２１が、その１つより多くのユーザ端末１２１をアドレス指定した制御信号を通じて、同一のＰＲＢオフセット値ＯPRB又は同一のＰＲＢ調整係数で設定されてもよい。
【００８３】
要約すると、この動作は、ユーザ端末１２１が動作１７０３で説明されるインジケータＮPRBを計算する際に用いられるＰＲＢオフセット値ＯPRB又はＰＲＢ調整係数ＡPRBを検索しうることを意味する。
【００８４】
（動作１７０３）
この動作では、ユーザ端末１２１は、下りリンクデータ伝送に割り当てられたＰＲＢの総数Ｎ'PRBに基づいて、そして、ＰＲＢオフセット値ＯPRB又はＰＲＢ調整係数ＡPRBに基づいて、インジケータＮPRBを計算する。これは、実際のＴＢＳの決定において下りリンクデータ伝送に割り当てられるＰＲＢの総数Ｎ'PRBより多くの適切なインジケータを利用可能とするために実行される。インジケータＮPRBの計算は、インジケータＮPRBの決定または取得とみなされうることに留意されたい。
【００８５】
換言すれば、ユーザ端末１２１は、変調された伝送ブロックサイズを動的に計算してもよい。これは、ユーザ端末１２１が少なくとも１つのＰＲＢオフセット値ＯPRB又は少なくとも１つのＰＲＢ調整係数ＡPRBを、実際のＴＢＳの決定において使用することを意味する。ＰＲＢオフセット値ＯPRBは、例えば、正又は負の数でありうる。調整係数ＡPRBは、例えば、１より大きく又は小さくてもよい。
【００８６】
以下の実施形態では、ユーザ端末１２１は、まず、下りリンク制御及び規格で与えられる手順に含まれるＰＲＢリソース割り当てに基づいて、割り当てられたＰＲＢの総数Ｎ'PRBを計算する。
【００８７】
いくつかの実施形態では、ユーザ端末１２１は、全てのサブフレームにおける伝送ブロックサイズの決定において、ＰＲＢオフセット値ＯPRBを適用する。
【００８８】
この場合、伝送ブロックがフレーム構造における特定のサブフレームのＤｗＰＴＳにおいて送信されるならば、インジケータＮPRBは、以下の（式１）
ＮPRB＝min{ max{ [Ｎ'PRB×0.75]＋ＯPRB，1}，110}    （式１）
を用いて計算されうる。
【００８９】
この場合、そうでなければ、インジケータＮPRBは、以下の（式２）
ＮPRB＝min{ max{Ｎ'PRB＋ＯPRB，1}，110}    （式２）
を用いて計算されうる。
【００９０】
いくつかの実施形態では、ユーザ端末１２１は、非特定サブフレームでのみ、ＴＢＳの決定において、ＰＲＢオフセット値ＯPRBを適用する。
【００９１】
この場合、伝送ブロックがフレーム構造における特定のサブフレームのＤｗＰＴＳにおいて送信されるならば、インジケータＮPRBは、以下の（式３）
ＮPRB＝max{ [Ｎ'PRB×0.75]，1}    （式３）
を用いて計算されうる。
【００９２】
この場合、そうでなければ、インジケータＮPRBは、以下の（式４）
ＮPRB＝min{ max{Ｎ'PRB＋ＯPRB，1}，110}    （式４）
を用いて計算されうる。
【００９３】
ここで、いくつかの実施形態では、ユーザ端末１２１は、サブフレーム番号に基づいて、異なるサブフレームでのＴＢＳの決定において、異なるＰＲＢオフセット値ＯPRBを適用しうる。これは、ユーザ端末１２１が１つより多くのＰＲＢオフセット値ＯPRBを有しうること、そして、また、異なるサブフレームにおけるサブフレームのサブフレーム番号に基づいて、異なるＰＲＢオフセット値ＯPRBを適用しうることを意味する。
【００９４】
いくつかの実施形態では、ユーザ端末１２１は、異なるサブフレームにおいて、現在追加の参照信号があるかに基づいて、異なるＰＲＢオフセット値ＯPRBを適用しうる。このような追加の参照信号の例は、ＣＳＩ参照信号又は測位参照信号でありうる。このような追加の参照信号の他の例は、サブフレームがＰＤＣＣＨ、ＰＨＩＣＨ、ＰＣＦＩＣＨ、ＰＳＳ、ＳＳＳ又はＰＢＣＨを含むことでありうる。これは、ユーザ端末１２１が１つより多くのＰＲＢオフセット値ＯPRBを有しうること、そして、さらに、異なるサブフレームにおいて、追加の信号の存在に基づいて、異なるＰＲＢオフセット値ＯPRBを適用しうることを意味する。
【００９５】
また、Ｎ'PRBの値がＰＲＢ閾値ＴPRBより大きい場合に、この計算が適用されうることに留意されたい。これは、いくつかの実施形態において、伝送ブロックサイズの決定においてＰＲＢオフセット値ＯPRBを適用する計算が、Ｎ'PRBが物理リソースブロック閾値ＴPRBより大きい場合に行われることを意味する。
【００９６】
これは、有利には、所定のピーク速度に達するために用いられうる。例えば、ＰＲＢオフセット値ＯPRBは、Ｎ'PRBがシステム帯域幅のＤＬのＲＢの総数から１を減じたものに等しく、その結果ＰＲＢオフセット値ＯPRBがプラス１である場合にのみ適用される。これは、ｅＣＣＨからスケジューリングされる場合にピーク速度を達成することが可能となることを確実にする。
【００９７】
いくつかの実施形態では、ユーザ端末１２１は、全てのサブフレームでの伝送ブロックサイズの決定において、ＰＲＢ調整係数ＡPRBを適用する。
【００９８】
この場合、伝送ブロックがフレーム構造における特定のサブフレームのＤｗＰＴＳにおいて送信されるならば、インジケータＮPRBは、以下の（式５）
ＮPRB＝min{ max{ [Ｎ'PRB×0.75×ＡPRB]，1}，110}    （式５）
を用いて計算されうる。
【００９９】
この場合、そうでなければ、インジケータＮPRBは、以下の（式６）
ＮPRB＝min{ max{[Ｎ'PRB×ＡPRB]，1}，110}    （式６）
を用いて計算されうる。
【０１００】
いくつかの実施形態では、ユーザ端末１２１は、非特定サブフレームでのみ、ＴＢＳの決定において、ＰＲＢ調整係数ＡPRBを適用する。
【０１０１】
この場合、伝送ブロックがフレーム構造における特定のサブフレームのＤｗＰＴＳにおいて送信されるならば、インジケータＮPRBは、以下の（式７）
ＮPRB＝max{ [Ｎ'PRB×0.75]，1}    （式７）
を用いて計算されうる。
【０１０２】
この場合、そうでなければ、インジケータＮPRBは、以下の（式８）
ＮPRB＝min{ max{[Ｎ'PRB×ＡPRB]，1}，110}    （式８）
を用いて計算されうる。
【０１０３】
ここで、いくつかの実施形態では、ユーザ端末１２１は、サブフレーム番号に基づいて、異なるサブフレームでのＴＢＳの決定において、異なるＰＲＢオフセット値ＯPRBを適用しうる。これは、ユーザ端末１２１が１つより多くのＰＲＢ調整係数ＡPRBを有しうること、そして、また、異なるサブフレームにおけるサブフレームのサブフレーム番号に基づいて、異なるＰＲＢ調整係数ＡPRBを適用しうることを意味する。
【０１０４】
いくつかの実施形態では、ユーザ端末１２１は、異なるサブフレームにおいて、現在追加の参照信号があるかに基づいて、異なるＰＲＢオフセット値ＯPRBを適用しうる。このような追加の参照信号の例は、ＣＳＩ参照信号又は測位参照信号でありうる。このような追加の参照信号の他の例は、サブフレームがＰＤＣＣＨ、ＰＨＩＣＨ、ＰＣＦＩＣＨ、ＰＳＳ、ＳＳＳ又はＰＢＣＨを含むことでありうる。これは、ユーザ端末１２１が１つより多くのＰＲＢ調整係数ＡPRBを有すること、そして、さらに、異なるサブフレームにおいて、追加の信号の存在に基づいて、異なるＰＲＢ調整係数ＡPRBを適用しうることを意味する。
【０１０５】
また、Ｎ'PRBの値がＰＲＢ閾値ＴPRBより大きい場合に、この計算が適用されうることに留意されたい。これは、いくつかの実施形態において、伝送ブロックサイズの決定においてＰＲＢ調整係数ＡPRBを適用する計算が、Ｎ'PRBが物理リソースブロック閾値ＴPRBより大きい場合に行われることを意味する。これは、有利には、所定のピーク速度に達するために用いられうる。例えば、ＰＲＢ調整係数ＡPRBは、Ｎ'PRBがシステム帯域幅のＤＬのＲＢの総数から１を減じたものに等しく、その結果ＰＲＢ調整係数ＡPRBがプラス１より大きい場合にのみ適用される。これは、ｅＣＣＨからスケジューリングされる場合にピーク速度を達成することが可能となることを確実にする。
【０１０６】
（動作１７０４）
この動作では、ユーザ端末１２１は、計算されたインジケータＮPRBに少なくとも基づいて、所定の伝送ブロックサイズのテーブルから伝送ブロックサイズを決定する。
【０１０７】
いくつかの実施形態では、ユーザ端末１２１は、全てのサブフレームでの伝送ブロックサイズの決定において、ＰＲＢオフセット値ＯPRBを適用する。
【０１０８】
この場合、伝送ブロックがフレーム構造における特定のサブフレームのＤｗＰＴＳにおいて送信されるならば、動作１７０３における式１を用いて計算されるインジケータＮPRBを、所定の伝送ブロックサイズについてのテーブル、例えば、標準規格である非特許文献１における伝送ブロックサイズテーブル７．１．７．２．１−１における段のインジケータとして用いることにより、伝送ブロックサイズが決定される。
【０１０９】
この場合、そうでなければ、動作１７０３における式２を用いて計算されるインジケータＮPRBを、所定の伝送ブロックサイズについてのテーブル、例えば、標準規格である非特許文献１における伝送ブロックサイズテーブル７．１．７．２．１−１における段のインジケータとして用いることにより、伝送ブロックサイズが決定される。
【０１１０】
いくつかの実施形態では、ユーザ端末１２１は、非特定サブフレームにおいてのみ、ＴＢＳの決定において、ＰＲＢオフセット値ＯPRBを適用する。この場合、伝送ブロックがフレーム構造における特定のサブフレームのＤｗＰＴＳにおいて送信されるならば、動作１７０３における式３を用いて計算されるインジケータＮPRBを、所定の伝送ブロックサイズについてのテーブル、例えば、標準規格である非特許文献１における伝送ブロックサイズテーブル７．１．７．２．１−１における段のインジケータとして用いることにより、伝送ブロックサイズが決定される。
【０１１１】
この場合、そうでなければ、動作１７０３における式４を用いて計算されるインジケータＮPRBを、所定の伝送ブロックサイズについてのテーブル、例えば、標準規格である非特許文献１における伝送ブロックサイズテーブル７．１．７．２．１−１における段のインジケータとして用いることにより、伝送ブロックサイズが決定される。
【０１１２】
いくつかの実施形態では、ユーザ端末１２１は、全てのサブフレームでの伝送ブロックサイズの決定において、ＰＲＢ調整係数ＡPRBを適用する。
【０１１３】
この場合、伝送ブロックがフレーム構造における特定のサブフレームのＤｗＰＴＳにおいて送信されるならば、動作１７０３における式５を用いて計算されるインジケータＮPRBを、所定の伝送ブロックサイズについてのテーブル、例えば、標準規格である非特許文献１における伝送ブロックサイズテーブル７．１．７．２．１−１における段のインジケータとして用いることにより、伝送ブロックサイズが決定される。
【０１１４】
この場合、そうでなければ、動作１７０３における式６を用いて計算されるインジケータＮPRBを、所定の伝送ブロックサイズについてのテーブル、例えば、標準規格である非特許文献１における伝送ブロックサイズテーブル７．１．７．２．１−１における段のインジケータとして用いることにより、伝送ブロックサイズが決定される。
【０１１５】
いくつかの実施形態では、ユーザ端末１２１は、非特定サブフレームにおいてのみ、ＴＢＳの決定においてＰＲＢ調整係数ＡPRBを適用する。
【０１１６】
この場合、伝送ブロックがフレーム構造における特定のサブフレームのＤｗＰＴＳにおいて送信されるならば、動作１７０３における式７を用いて計算されるインジケータＮPRBを、所定の伝送ブロックサイズについてのテーブル、例えば、標準規格である非特許文献１における伝送ブロックサイズテーブル７．１．７．２．１−１における段のインジケータとして用いることにより、伝送ブロックサイズが決定される。
【０１１７】
この場合、そうでなければ、動作１７０３における式８を用いて計算されるインジケータＮPRBを、所定の伝送ブロックサイズについてのテーブル、例えば、標準規格である非特許文献１における伝送ブロックサイズテーブル７．１．７．２．１−１における段のインジケータとして用いることにより、伝送ブロックサイズが決定される。
【０１１８】
また、いくつかの実施形態によれば、ユーザ端末１２１が、例えば、下りリンク割り当て、上りリンクグラント及び電力制御のためにｅＣＣＨを用いるように構成される場合、ユーザ端末１２１は、少なくとも１つのＰＲＢオフセット値ＯPRB又は少なくとも１つのＰＲＢ調整係数ＡPRBを用いることにより、少なくともいくつかの割り当て又はグラントのための割り当てられた伝送ブロックサイズＮPRBを決定しうることに留意されたい。
【０１１９】
（動作１７０５）
このオプションの動作では、ユーザ端末１２１は、決定された伝送ブロックサイズを用いる下りリンクのデータ伝送を受信しうる。換言すれば、ユーザ端末１２１は、変調された伝送ブロックサイズを用いる下りリンクデータを受信しうる。
【０１２０】
ネットワークノード１１０における方法の実施形態について、図１８で描かれたフローチャートを参照して説明する。図１８におけるフローチャートは、伝送ブロックサイズを決定するためのネットワークノード１１０における方法を記述している。伝送ブロックサイズは、拡張制御チャネルｅＣＣＨでのユーザ端末１２１への下りリンクのデータ伝送の送信時に、ネットワークノード１１０によって使用される。ネットワークノード１１０及びユーザ端末１２１は、電気通信システムに含まれる。ネットワークノード１１０は所定の伝送ブロックサイズのテーブルにアクセスできる。所定の伝送ブロックサイズのテーブルは、例えば、標準規格である非特許文献１におけるＴＢＳテーブル７．１．７．２．１−１でありうる。
【０１２１】
図１８は、ネットワークノード１１０によってとられうる詳細な例示の動作又は操作の説明の例である。本フローチャートの図は、例としてのみ提供されるものであり、ネットワークノード１１０は、ここで与えられる例示の動作又は操作のいずれをも実行するように構成されうることが理解されるべきである。以下で図解される動作又は操作は単なる例であり、したがって、全ての動作又は操作が実行される必要がないことが理解されるべきである。また、動作又は操作は、任意の組み合わせで実行されてもよいことが理解されるべきである。したがって、図１８のフローチャートは、以下の動作を含み、また、以上及び以下で言及する任意の実施形態のために、又はそれらの任意の組み合わせで実装されうる。
【０１２２】
（動作１８０１）
このオプションの動作では、ネットワークノード１１０は、ユーザ端末１２１へＰＲＢオフセット値ＯPRB又はＰＲＢ調整係数ＡPRBを含む通信要求を送信しうる。
【０１２３】
代替的に、いくつかの実施形態では、ネットワークノード１１０は、ＰＤＣＣＨにおいてスケジューリングされる下りリンク伝送に含まれるＲＲＣメッセージにおいて、ＰＲＢオフセット値ＯPRB又はＰＲＢ調整係数ＡPRBを送信しうる。これは、ＰＲＢオフセット値ＯPRB又はＰＲＢ調整係数ＡPRBは、ＲＲＣシグナリングを用いて、ネットワークノード１１０によって設定されうることを意味する。
【０１２４】
いくつかの実施形態では、ネットワークノード１１０は、個別の制御シグナリングを介して、異なるＰＲＢオフセット値ＯPRB又は異なるＰＲＢ調整係数ＡPRBで異なるユーザ端末を設定してもよい。また、いくつかの実施形態では、ネットワークノード１１０は、１つより多くのユーザ端末１２１をアドレス指定する制御信号を介して、同一のＰＲＢオフセット値ＯPRBまたは同一のＰＲＢ調整係数を用いて、その１つより多くのユーザ端末１２１を設定しうる。
【０１２５】
いくつかの実施形態では、ネットワークノード１１０は、ユーザ端末１２１がネットワークノード１１０からｅＣＣＨで下りリンクのデータ伝送の受信を開始する前に、ＰＲＢオフセット値ＯPRB又はＰＲＢ調整係数ＡPRBを、ユーザ端末１２１へ送信してもよい。いくつかの実施形態では、ネットワークノード１１０は、ｅＣＣＨでの通信要求と通信との少なくともいずれかを送信しうる。ここで、ｅＣＣＨは、ユーザ端末固有の検索領域に配置されてもよい。
【０１２６】
いくつかの実施形態では、ネットワークノード１１０は、変調された伝送ブロックサイズを計算するために、ユーザ端末１２１へ要求を送信してもよい。
【０１２７】
（動作１８０２）
この動作では、ネットワークノード１１０は、下りリンクデータ伝送に割り当てられたＰＲＢの総数Ｎ'PRBに基づいて、そして、ＰＲＢオフセット値ＯPRB又はＰＲＢ調整係数ＡPRBに基づいて、インジケータＮPRBを計算する。インジケータＮPRBの計算は、インジケータＮPRBの決定又は取得とみなされうることを理解すべきである。
【０１２８】
これらの計算は、動作１７０３においてユーザ端末１２１について記述したのと同様の方法で、ネットワークノード１１０によって実行されうる。これは、ネットワークノード１１０が、動作１７０３で上述した式１〜８のいずれかに従って、インジケータＮPRBを計算しうることを意味する。いくつかの実施形態では、これは、ネットワークノード１１０が、Ｎ'PRBが物理リソースブロック閾値ＴPRBより大きい場合に、計算を実行しうることをも意味する。
【０１２９】
（動作１８０３）
この動作では、ネットワークノード１１０は、計算されたインジケータＮPRBに少なくとも基づいて、所定の伝送ブロックサイズのテーブルから、伝送ブロックサイズを決定する。決定は、動作１７０４においてユーザ端末１２１について説明したのと同様の方法で、ネットワークノード１１０によって実行されうる。
【０１３０】
（動作１８０４）
この動作では、ネットワークノード１１０は、決定された伝送ブロックサイズを用いて、ユーザ端末１２１へ、下りリンクのデータ伝送を送信しうる。換言すれば、ユーザ端末１２１は、変調された伝送ブロックサイズを用いて下りリンクデータを送信しうる。
【０１３１】
ここで示す例の実施形態は、図１９に示すように、基地局１１０などのネットワークノードをさらに含みうる無線ネットワークで利用されうる。無線ネットワークは、また、図２０に示すように、ユーザ端末１２１を含む。図１９及び２０で与えた例は、非制限的な例としてのみ示されていることを理解されたい。例の実施形態によれば、ネットワークノード１１０及びユーザ端末１２１は、上のセクションで与えた例で説明したように、任意の他のノードでありうる。
【０１３２】
図１９に示されるように、例のネットワークノード１１０は、処理回路１９０３、メモリ１９０２、無線回路１９０１及び少なくとも１つのアンテナを有しうる。処理回路１９０３は、ＲＦ回路及びベースバンド処理回路（不図示）を有しうる。特定の実施形態では、モバイル基地局、基地局制御装置、中継ノード、ノードＢ、エンハンスドノードＢ、測位ノード又は任意の種別のモバイル通信ノードの少なくともいずれかにより与えられるような上述の機能性の一部又は全部は、図１９におけるメモリ１９０２のような、コンピュータ可読媒体に格納された命令を処理回路１９０３が実行することにより、与えられうる。ネットワークノード１１０の別の実施形態は、上で示された機能性のいずれかと上述のソリューションをサポートするために必要な任意の機能性との少なくともいずれかを含む追加の機能性を提供するために、追加の要素を有していてもよい。他の例の実施形態では、ネットワークノードは、無線インタフェース又は無線回路１９０１を備えなくてもよい。
【０１３３】
図１９に示されたネットワークノード１１０の、操作とコマンドとの少なくともいずれかを実行するように構成された処理回路、又は他の任意のハードウェアとソフトウェアとの少なくともいずれかのユニットは、変調された伝送ブロックサイズの計算と、上で与えられた例示の実施形態で説明されたような変形されたブロックサイズの計算で使用されるべき計算のパラメータの提供との少なくともいずれかを行うことの設定をするように構成されうることが理解されるべきである。
【０１３４】
ユーザ端末１２１の例を、図２０に与える。例のユーザ端末１２１は、処理回路２００２、メモリ２００３、無線回路２００１及び少なくとも１つのアンテナを含みうる。無線回路２００１は、ＲＦ回路及びベースバンド処理回路（不図示）を有しうる。特定の実施形態では、モバイル通信装置又は他の形式の無線装置により与えられるような上述の機能性の一部又は全部は、図２０におけるメモリ２００３のような、コンピュータ可読媒体に格納された命令を処理回路２００２が実行することにより、与えられうる。ユーザ端末１２１の別の実施形態は、上で示された機能性のいずれかと上述のソリューションをサポートするために必要な任意の機能性との少なくともいずれかを含む追加の機能性を提供するために、追加の要素を有していてもよい。
【０１３５】
ユーザ端末１２１の処理回路（又は操作とコマンドとの少なくともいずれかを実行するように構成された任意の他のハードウェアとソフトウェアとの少なくともいずれかのユニット）は、変形された伝送ブロックサイズを計算するように構成されうることが理解されるべきである。ユーザ端末は、上述の例示の操作のいずれかを実行するように、さらに構成されうる。
【０１３６】
伝送ブロックサイズを決定する方法の動作を実行するために、ネットワークノード１１０は、図１９に描かれる以下の構成を含む。図１９は、ネットワークノード１１０の実施形態の概略ブロック図を示している。
【０１３７】
伝送ブロックサイズは、ｅＣＣＨでのユーザ端末１２１への下りリンクのデータ伝送の送信時に、ネットワークノード１１０によって使用される。ネットワークノード１１０及びユーザ端末１２１は、電気通信システム１００に含まれる。ネットワークノード１１０は、所定の伝送ブロックサイズのテーブルにアクセスできる。
【０１３８】
ネットワークノード１１０は、無線回路１９０１を有しうる。無線回路１９０１は、決定された伝送ブロックサイズを用いて、下りリンクのデータ伝送をユーザ端末１２１へ送信するように構成されうる。無線回路１９０１は、ユーザ端末１２１へ通信要求を送信するようにも構成されうる。通信要求は、ＰＲＢオフセット値ＯPRB又はＰＲＢ調整係数ＡPRBを含んでもよい。
【０１３９】
ネットワークノード１１０は、下りリンクデータ伝送に割り当てられたＰＲＢの総数Ｎ'PRBと、ＰＲＢオフセット値ＯPRB又はＰＲＢ調整係数ＡPRBとに基づいて、インジケータＮPRBを計算するように構成された処理回路１９０３を含む。インジケータＮPRBの計算は、インジケータＮPRBの決定または取得とみなされうることが理解されるべきである。処理回路１９０３は、さらに、計算されたインジケータＮPRBに少なくとも基づいて、所定の伝送ブロックサイズのテーブルから、伝送ブロックサイズを決定するように構成される。
【０１４０】
処理回路１９０３は、さらに、上述のように式１〜８のいずれかに従って、インジケータＮPRBを計算するように構成されうる。また、処理回路１９０３は、さらに、Ｎ'PRBが物理リソースブロック閾値ＴPRBより大きい場合に、計算を実行するように構成されうる。
【０１４１】
伝送ブロックサイズを決定するための方法の動作を実行するために、ユーザ端末１２１は、図２０に描かれる以下の構成を有する。図２０は、ユーザ端末１２１の実施形態の概略ブロック図を示している。
【０１４２】
伝送ブロックサイズは、拡張制御チャネルｅＣＣＨにおいてネットワークノード１１０からの下りリンクのデータ伝送を受信する際に、ユーザ端末１２１によって使用される。ユーザ端末１２１及びネットワークノード１１０は、電気通信システム１００に含まれる。ユーザ端末１２１は、所定の伝送ブロックサイズのテーブルにアクセスできる。
【０１４３】
ユーザ端末１２１は、さらに、無線回路２００１を含みうる。無線回路２００１は、決定された伝送ブロックサイズを用いて、下りリンクのデータ伝送を受信するように構成されうる。
【０１４４】
ユーザ端末１２１は、下りリンクデータ伝送に割り当てられたＰＲＢの総数Ｎ'PRBに基づいて、そして、ＰＲＢオフセット値ＯPRB又はＰＲＢ調整係数ＡPRBに基づいて、インジケータＮPRBを計算するように構成された処理回路２００２を有する。インジケータＮPRBの計算は、インジケータＮPRBの決定または取得とみなされうることに留意すべきである。処理回路２００２は、さらに、計算されたインジケータＮPRBに少なくとも基づいて、所定の伝送ブロックサイズのテーブルから、伝送ブロックサイズを決定するように構成される。
【０１４５】
処理回路２００２は、さらに、条件を判定するように構成されてもよく、その条件の存在は、インジケータＮPRBの計算のトリガを与える。条件は、ｅＣＣＨにおいて通信と通信要求との少なくともいずれかを受信することでありうる。ｅＣＣＨは、ユーザ端末固有の検索領域に配置されうる。条件は、また、伝送ブロックサイズを計算するためのネットワークノード１１０からの通信要求を受信することでありうる。通信要求は、ＰＲＢオフセット値ＯPRB又はＰＲＢ調整係数ＡPRBを含みうる。
【０１４６】
処理回路２００２は、さらに、計算に使用されるべき、ＰＲＢオフセット値ＯPRB又はＰＲＢ調整係数ＡPRBを受信するように構成されうる。処理回路２００２は、さらに、ユーザ端末１２１が、ネットワークノード１１０からｅＣＣＨにおいて下りリンクのデータ伝送を受信し始める、又は、物理下りリンクの制御チャネルＰＤＣＣＨでスケジューリングされた、ネットワークノード１１０からの下りリンク伝送に含まれるＲＲＣメッセージにおいて、ＰＲＢオフセット値ＯPRB又はＰＲＢ調整係数ＡPRBを受信し始める前に、ＰＲＢオフセット値ＯPRB又はＰＲＢ調整係数ＡPRBを受信するように構成されうる。
【０１４７】
処理回路２００２は、さらに、上述のように式１〜８のいずれかに従って、インジケータＮPRBを計算するように構成されうる。
【０１４８】
処理回路２００２は、さらに、ユーザ端末１２１が１つより多くのＰＲＢオフセット値ＯPRB又はＰＲＢ調整係数ＡPRBを有する場合に、異なるサブフレームにおいて、サブフレーム番号に基づいて、異なるＰＲＢオフセット値ＯPRB又はＰＲＢ調整係数ＡPRBを適用するように構成されうる。また、ユーザ端末１２１が１つより多くのＰＲＢオフセット値ＯPRBまたはＰＲＢ調整係数ＡPRBを有する場合、処理回路２００２は、さらに、追加の参照信号の存在に基づいて、異なるサブフレームにおいて、異なるＰＲＢオフセット値ＯPRB又はＰＲＢ調整係数ＡPRBを適用するように構成されうる。
【０１４９】
また、処理回路２００２は、Ｎ'PRBがリソースブロック閾値ＴPRBより大きい場合に計算を実行するように構成されうる。さらに、処理回路２００２は、ネットワークノード１１０から通信要求において受信されたＰＲＢオフセット値ＯPRB又はＰＲＢ調整係数ＡPRBに、ユーザ端末１２１によって検索されたＰＲＢオフセット値ＯPRB又はＰＲＢ調整係数ＡPRBより高い優先度を与えるように構成されうる。
【０１５０】
ここで提供される例の実施形態の説明を、図解のために提示した。説明は、網羅的であること又は例の実施形態を開示された厳密な形式に限定することを意図しておらず、上述の教示に照らした変形および変更が可能であり、又は、それは与えられた実施形態に対する様々な代替案の実践から得られうる。ここで説明した例は、様々な例の実施形態の原理、性質及び当業者が例の実施形態を、想定される特定の使用に適するような、様々な方法で、そして様々な変形で利用することを可能とする実践的アプリケーションを説明するために選択され説明された。ここで説明する実施形態の特徴は、方法、装置、モジュール、システム、及びコンピュータプログラム媒体の全ての取りうる組み合わせにおいて組合わせられうる。ここで提示された例の実施形態は、それぞれの任意の組み合わせで実践されうることが理解されるべきである。
【０１５１】
用語「有する・含む（comprising）」は、必ずしも、リストに挙げられた要素又はステップ以外の要素またはステップの存在を排除するものではなく、要素に先立つ用語「ある（a又はan）」は、このような要素が複数存在することを排除しないことに留意されたい。さらに、いかなる参照符号も特許請求の範囲を限定するものではないこと、例の実施形態は少なくとも一部においてハードウェアとソフトウェアとの両方を用いて実装されうること、そして、いくつかの「手段」「部」「デバイス」は、ハードウェアの同一のものによって表されうることを留意されたい。
【０１５２】
ここで使用される用語としての「デバイス」は、広く解釈されるべきであり、インターネット／イントラネットのアクセス、ウェブブラウザ、オーガナイザ、カレンダー、カメラ（例えば、動画カメラと静止画カメラとの少なくともいずれか）、録音器（例えばマイク）、又は全地球測位システム（ＧＰＳ）受信機のための能力を有する無線電話、セルラ無線電話機をデータ処理と組み合わせうるパーソナル通信システム（ＰＣＳ）端末、無線電話又は無線通信システムを含みうるパーソナルデジタルアシスタント（ＰＤＡ）、ラップトップ、通信能力を有するカメラ（例えば、動画カメラと静止画カメラとの少なくともいずれか）、そして、パーソナルコンピュータ、ホームエンタテイメントシステム、テレビ等のような、送受信することができる任意の他の計算又は通信デバイスを含む。
【０１５３】
説明を、測定し記録するユニットとして、主としてユーザ端末のために与えたが、当業者は、「ユーザ端末」がＤＬにおける受信とＵＬにおける送信とが可能な任意の無線デバイス又はノード（例えばＰＤＡ，ラップトップ、モバイル、センサ、固定中継、モバイル中継、又は無線基地局、例えばフェムト基地局でさえあってもよい）を意味する比限定的な用語であると理解すべきである。
【０１５４】
セルは無線ノードに関連付けられ、例の実施形態の説明において区別せずに用いられる無線ノード又は無線ネットワークノード又はｅノードＢは、一般的な意味で、測定に使用される無線信号を送信する任意のノード、例えばｅノードＢ、マクロ／マイクロ／ピコ基地局、ホームｅノードＢ、中継、ビーコンデバイス、又はリピータを含む。ここでの無線ノードは、１つ以上の周波数又は周波数帯域で動作する無線ノードを含みうる。ＣＡを行うことができる無線ノードであってもよい。また、単一の又は複数のＲＡＴのノードであってもよい。複数のＲＡＴのノードは、同じ位置に配置されたＲＡＴを有する若しくは複数の標準無線をサポートする（ＭＳＲ）ノード又は混合無線ノードを含みうる。
【０１５５】
ここで説明する様々な例の実施形態は、ネットワーク化環境においてコンピュータにより実行されるプログラムコードのようなコンピュータ可読命令を含むコンピュータ可読媒体に実装されたコンピュータプログラム媒体による１つの態様で実装されうる、一般的な文脈の方法のステップ及び処理で記載している。コンピュータ可読媒体は、読み出し専用メモリ（ＲＯＭ）、ランダムアクセスメモリ（ＲＡＭ）、コンパクトディスク（ＣＤ）、デジタル多用途ディスク（ＤＶＤ）などを含むが、それに限定されない、取り外し可能なそして取り外し不能な記憶装置を含みうる。一般に、プログラムモジュールは、特定のタスクを実行する又は特定の抽象データ型を実装する、ルーチン、プログラム、オブジェクト、コンポーネント、データ構造などを含みうる。データ構造、及びプログラムモジュールに関連するコンピュータ実行可能な命令は、ここで開示される方法のステップを実行するためのプログラムコードの例を表す。このような実行可能な命令又は関連するデータ構造の特定の系列は、このようなステップ又は処理において記述される機能を実行するための、対応する動作の例を表す。
【０１５６】
ここでの実施形態は、上述の好ましい実施形態には限定されない。様々な代替物、変形及び等価物を使用してもよい。したがって、上の実施形態は、限定的に解釈されるべきではない。
【０１５７】
（用語の説明）
ＡＣＫ：肯定応答
ＡＲＱ：自動再送要求
ＣＡ：キャリアアグリゲーション
ＣＡＺＡＣ：定振幅ゼロ自己相関
ＣＣ：コンポーネントキャリア
ＣＣＥ：制御チャネルエレメント
ＣＦＩ：制御フォーマットインジケータ
ＣＩＦ：キャリアインジケータフィールド
Ｃ−ＲＮＴＩ：セル無線ネットワーク一時識別子
ＣＲＳ：共通参照シンボル
ＣＳＩ：チャネル状態情報
ＤＣＩ：下りリンク制御情報
ＤＬ：下りリンク
ＤＭＲＳ：復調参照シンボル
ｅＣＣＨ：拡張制御チャネル
ｅＰＤＣＣＨ：エンハンスドＰＤＣＣＨ
ＨＡＲＱ：ハイブリッド自動再送要求
ＬＴＥ：ロングタームエボリューション
ＭＡＣ：媒体アクセス制御
ＭＩＭＯ：多入力多出力
ＮＡＣＫ：否定応答
ＯＦＤＭ：直交周波数分割多元接続
ＰＣＣ：プライマリコンポーネントキャリア
ＰＤＣＣＨ：物理下りリンク制御チャネル
ＰＤＳＣＨ：物理下りリンク共有チャネル
ＰＵＣＣＨ：物理上りリンク制御チャネル
ＲＢ又はＰＲＢ：リソースブロック
ＲＥ：リソースエレメント
ＲＮＴＩ：無線ネットワーク一時識別子
ＲＳ：参照信号
ＳＣＣ：セカンダリコンポーネントキャリア
ＳＩＮＲ：信号対雑音比
ＴＰＣ：送信電力制御
ＵＥ：ユーザ端末
ＵＬ：上りリンク
【図２】
0006013515.tif 000002
【図３】
0006013515.tif 000003
【図４】
0006013515.tif 000004
【図５】
0006013515.tif 000005
【図６】
0006013515.tif 000006
【図７】
0006013515.tif 000007
【図８】
0006013515.tif 000008
【図９】
0006013515.tif 000009
【図１０】
0006013515.tif 000010
【図１１】
0006013515.tif 000011
【図１２】
0006013515.tif 000012
【図１３】
0006013515.tif 000013
【図１６】
0006013515.tif 000014
【図１７】
0006013515.tif 000015
【図１８】
0006013515.tif 000016
【図１９】
0006013515.tif 000017
【図２０】
0006013515.tif 000018
【図１】
0006013515.tif 000019
【図１４】
0006013515.tif 000020
【図１５】
0006013515.tif 000021